(57)【特許請求の範囲】
【請求項１】
軌道側に取り付けられる突起部と、本体部を有し、前記本体部は二以上の解放面を有する本体ケースと、弾性を有する帯金によって構成された摺動路と、調整手段を有し、前記摺動路は本体ケースの内部にあってテーパ部を有し、摺動路の末端に前記突起部が嵌合する嵌合部が設けられ、調整手段は、ネジによって直線移動するスライダーを持ち、当該スライダーは本体部内にあって摺動路を構成する帯金の一部と当接しスライダーの移動に応じて摺動路の幅が増減し、さらに前記ネジの工具との係合部が本体部の端部に位置することを特徴とする引き戸用反発防止装置。
【請求項２】
スライダーには側面にスリットが設けられ、帯金の一部がスリットを通過しており、スライダーの移動に応じて帯金のスリットと当接する部分が絞られることにより摺動路の幅が増減されることを特徴とする請求項１に記載の引き戸反発防止装置。
【請求項３】
帯金は当接部が設けられ、スライダーは該当接部において帯金と当接し、スライダーの移動によって帯金が長手方向に圧押され、幅方向へ撓むことにより摺動路の幅が増減されることを特徴とする請求項１に記載の引き戸反発防止装置。
【請求項４】
摺動路を軌道の幅方向に平行移動させる移動調節手段を設けたことを特徴とする請求項１又は請求項２に記載の引き戸反発防止装置。
【請求項５】
摺動路は軌道の幅方向へスライド可能であり、かつ長さ方向への移動が規制されており、移動調節手段は軸方向へ動く可動部と、ランナーと、前記摺動路に対して傾きを持つと共にランナーと係合する移動用軌道を有し、移動用軌道又はランナーのいずれか一方は摺動路と共に移動し、他方は前記可動部と共に移動し、前記摺動路と可動部は移動用軌道とランナーを介して互いに係合されており、可動部の軸方向への移動に応じて摺動路が軌道の幅方向に移動することを特徴とする請求項４に記載の引き戸反発防止装置。
【請求項６】
移動調節手段の可動部は移動調節スライダーを有すると共に該移動調節スライダーを軸方向に直線移動させる移動調節ネジを有し、前記移動調節スライダーと移動調節ネジは移動調節ケースに内蔵され、摺動路は本体ケースに収容され、さらに本体ケースは移動調節接合部を有し、該移動調節接合部は幅方向へスライド可能で、長さ方向への移動が規制されて移動調節ケースに収納され、移動調節接合部の底面と移動調節スライダーのいずれか一方にランナーとなる突起が設けられ、他方に移動用軌道となるスリットが設けられ、移動調節ネジによる移動調節スライダーの直線移動により摺動路を幅方向に平行移動させることを特徴とする請求項５記載の引き戸反発防止装置。
【発明の詳細な説明】
【０００１】
【発明の属する技術分野】
本発明は、引き戸の反発を防止する装置に関するものである。
【０００２】
【従来の技術】
居住設備において引き戸は広範に設置されている。ところが引き戸を勢いよく閉じた時、引き戸の端面が戸枠と衝突し、引き戸が反発して戸枠との間に隙間が生じる。
【０００３】
そこで引き戸が閉じる直前に引き戸が減速するように、軌道側に障害物を設ける方策が取られている。すなわち軌道（鴨居や敷居）の末端部分に板バネを設け、引き戸が閉塞間際となった時に引き戸の一部に板バネを接触させて引き戸を減速させる。すなわち引き戸が閉塞間際となった時、板バネによって引き戸にブレーキをかける。
【０００４】
【発明が解決しようとする課題】
前記した様に、引き戸を閉じる時の反発対策として、軌道に板バネを取り付ける方策が知られているが、従来技術の方策は、引き戸に適正強度のブレーキをかけることが困難であった。そのため引き戸が完全に閉じずに途中で停止してしまったり、逆にブレーキが不十分で引き戸が反発するといった問題があった。
【０００５】
そこで本発明は、従来技術の上記した問題点に注目し、引き戸を適正な速度に減速し、且つ調整が可能な引き戸用反発防止装置の開発を課題するものである。
【０００６】
【課題を解決するための手段】
そして上記した課題を解決するための発明は、以下のようである。
請求項１に記載の引き戸用反発防止装置は、軌道側に取り付けられる突起部と、本体部を有し、前記本体部は二以上の解放面を有する本体ケースと、弾性を有する帯金によって構成された摺動路と、調整手段を有し、前記摺動路は本体ケースの内部にあってテーパ部を有し、摺動路の末端に前記突起部が嵌合する嵌合部が設けられ、調整手段は、ネジによって直線移動するスライダーを持ち、当該スライダーは本体部内にあって摺動路を構成する帯金の一部と当接しスライダーの移動に応じて摺動路の幅が増減し、さらに前記ネジの工具との係合部が本体部の端部に位置することを特徴とする引き戸用反発防止装置である。
【０００７】
本発明の引き戸用反発防止装置は、軌道側に突起部が取り付けられ、引き戸側に摺動路が取り付けられる。本発明の引き戸用反発防止装置では、引き戸を閉じる際に突起部が摺動路の中に入るが、摺動路が弾性体によって狭窄方向に付勢されているので、突起部が摺動路を通過する際に突起部と摺動部との間で摩擦が生じる。そのため摺動路が取り付けられた引き戸にブレーキがかかる。また本発明の引き戸用反発防止装置では、摺動部の幅を変更する調整手段を持つので、ブレーキの強度を調整することができる。
【０００８】
さらに本発明の引き戸用反発防止装置では、摺動路の末端に嵌合部が設けられているので、引き戸が閉じた状態の時、突起部が嵌合部と嵌合し、反発力に抗して閉じた状態を維持する。また本発明の引き戸用反発防止装置は、摺動路は弾性を有する帯金によって構成され、摺動路は前記帯金自身の持つ弾性によって狭窄方向に付勢されている。そのため本発明の引き戸用反発防止装置は、部品点数が少なく、作りやすい。また本発明の引き戸用反発防止装置では、摺動路にはテーパ部が設けられている。そのため引き戸にかかるブレーキを徐徐に強めることができる。
【０００９】
さらに本発明の引き戸用反発防止装置では、ネジを回動することにより、摺動路の幅を調整することができる、さらにネジの工具との係合部が引き戸の端部に位置するので、引き戸を軌道から外すことなくブレーキ力の調整を行うことができる。
【００１０】
さらに請求項２に記載の引き戸用反発防止装置は、スライダーには側面にスリットが設けられ、帯金の一部がスリットを通過しており、スライダーの移動に応じて帯金のスリットと当接する部分が絞られることにより摺動路の幅が増減されることを特徴とする請求項１に記載の引き戸反発防止装置である。
【００１１】
本発明の引き戸用反発防止装置では、ネジによってスライダーが直線移動すると、スライダーの側面に設けたスリットに当接する帯金の部分がスリットにより絞られるか又は拡げられることにより摺動路の幅が調整でき、簡単な構造で操作が容易である。
【００１２】
さらに請求項３に記載の引き戸用反発防止装置は、帯金は当接部が設けられ、スライダーは該当接部において帯金と当接し、スライダーの移動によって帯金が長手方向に圧押され、幅方向へ撓むことにより摺動路の幅が増減されることを特徴とする請求項１に記載の引き戸反発防止装置である。
【００１３】
本発明の引き戸用反発防止装置では、スライダーが移動するとスライダーに当接した帯金が長手方向に加わる圧押力により幅方向に撓み、その撓みの増減により摺動路の幅が調整出来る。スライダーがテーパー部から最遠の位置にある時は帯金には圧押力が加わらず、従って帯金は変形前の状態で摺動路の幅は最大になる。本方式は簡単な構造で操作が容易であり、前記の請求項２の方式の様に帯金がスリットと摩擦することがなく耐久性がより優れている。
【００１４】
さらに請求項４に記載の引き戸用反発防止装置は、摺動路を軌道の幅方向に平行移動させる移動調節手段を設けたことを特徴とする請求項１又は請求項２に記載の引き戸反発防止装置である。
【００１５】
本発明の引き戸用反発防止装置では、当初の製作誤差および、使用継続による変形により軌道と引き戸の間の幅方向のずれが大きすぎるため摺動路の幅を調整するのみでは対応出来ない場合に、移動調節手段により、摺動路を軌道の幅方向に平行移動させて上記のずれを調整することにより、引き戸にかかるブレーキ強度を適正に調整出来る。
【００１６】
また請求項５に記載の引き戸用反発防止装置は、摺動路は軌道の幅方向へスライド可能であり、かつ長さ方向への移動が規制されており、移動調節手段は軸方向へ動く可動部と、ランナーと、前記摺動路に対して傾きを持つと共にランナーと係合する移動用軌道を有し、移動用軌道又はランナーのいずれか一方は摺動路と共に移動し、他方は前記可動部と共に移動し、前記摺動路と可動部は移動用軌道とランナーを介して互いに係合されており、可動部の軸方向への移動に応じて摺動路が軌道の幅方向に移動することを特徴とする請求項４に記載の引き戸反発防止装置である。
【００１７】
本発明の引き戸用反発防止装置では、移動調節手段は軸方向へ動く可動部と、ランナーと、当該ランナーと係合する移動用軌道を備える。そして摺動路は、移動用軌道およびランナーを介して可動部と係合する。ここで本発明の引き戸用反発防止装置では、移動用軌道が摺動路に対して傾きを持つので、摺動路は可動部の軸方向移動によって軸方向に対して斜め方向に移動する力が働く。しかし摺動路は、幅方向へはスライド可能であるが長さ方向への移動は規制されているため、幅方向へのみスライドする。従って本発明の引き戸用反発防止装置は摺動路の幅方向への移動調整を簡単な構造で達成出来る。
【００１８】
さらに請求項６に記載の引き戸用反発防止装置は、移動調節手段の可動部は移動調節スライダーを有すると共に該移動調節スライダーを軸方向に直線移動させる移動調節ネジを有し、前記移動調節スライダーと移動調節ネジは移動調節ケースに内蔵され、摺動路は本体ケースに収容され、さらに本体ケースは移動調節接合部を有し、該移動調節接合部は幅方向へスライド可能で、長さ方向への移動が規制されて移動調節ケースに収納され、移動調節接合部の底面と移動調節スライダーのいずれか一方にランナーとなる突起が設けられ、他方に移動用軌道となるスリットが設けられ、移動調節ネジによる移動調節スライダーの直線移動により摺動路を幅方向に平行移動させることを特徴とする請求項５記載の引き戸反発防止装置である。
【００１９】
本発明の引き戸用反発防止装置では、移動調節ネジによって移動調節スライダーを直線移動させると、移動調節接合部の底面に設けた突起またはスリットと移動調節スライダーに設けたスリットまたは突起が係合して、本体ケースには移動調節接合部を介して長手方向に対して斜め方向に移動する力が働くが、本体ケースは移動調節接合部と一体なので、幅方向へはスライド可能であるが長さ方向への移動は規制されているため、幅方向へのみスライドする。従って本発明の引き戸用反発防止装置では、摺動路の幅方向への移動調整機構は少ない部品で製作出来、引き戸を軌道から外すことなく移動調整を行える。
【００２０】
【発明の実施の形態】
以下本発明の引き戸の構造を図面を用いて具体的に説明する。
【００２１】
（実施の形態１）
図１は本発明の引き戸用反発防止装置を上部側から見た斜視図である。図２は、本発明の引き戸用反発防止装置を下部側から見た斜視図である。図３は、図１の引き戸用反発防止装置の帯金及びスライダーの斜視図である。図４は、図１のＡ−Ａ断面図（ａ）及びＢ−Ｂ断面図（ｂ）である。図５は、本発明の引き戸用反発防止装置を軌道及び引き戸に設置した状態における図１のＣ−Ｃ断面図であり、（ａ）は引き戸の閉止の初期の状況を示し、（ｂ）は引き戸の閉止の中間段階の状況を示し、（ｃ）は引き戸の閉止完了時を示す。図６は、スライダーを移動した時の動作を説明する図１のＣ−Ｃ断面図である。
【００２２】
図１，５において、１は鴨居（軌道）、２は引き戸を示す。また３０は、本発明の実施形態の引き戸用反発防止装置を示す。本実施形態の引き戸用反発防止装置３０は、大きく分けて鴨居側部材３１と本体部４によって構成されている。
【００２３】
鴨居側部材３１は、図２の様に板状部材３２を有し、その一方の面に突起部３が設けられたものである。突起部３の形状は略五角形の柱状である。すなわち、突起部３の平面断面は略五角形であり、一方の端部３ａが尖っており、他方の端部３ｂは平坦面である。また突起部３の高さは後記する本体部４の箱体１０の内側の高さより小さい。突起部３は、板状部材３２の端部近傍に設けられ、前記した尖った側３ａは、板状部材３２の外側を向いている。図１，２を参照して説明すると、板状部材３２の左の端部に突起部３が設けられ、尖った側３ａは左の外側を向き、平坦な端部３ｂは内側を向いている。鴨居側部材３１は、図１の様に引き戸２が取り付けられる上部の鴨居１の溝の内部に取り付けられ、突起部３は下側に位置する。また鴨居側部材３１は鴨居１の溝の端部に位置し、板状部材３２の端部は、鴨居溝の端部と一致する。
【００２４】
突起部３の尖った側３ａは、図１、図５の様に鴨居１の内側に向いて取り付けられる。また前記した様に板状部材３２の端部を鴨居溝の端部と一致させて取り付けられるため、突起部３の鴨居溝の端部からの距離は一定となる。すなわち鴨居側部材３１の板状部材３２は、突起部３の鴨居１への取付けを容易且つ確実に行わしめる機能と、突起部３の位置決めを行う機能を発揮する。
【００２５】
一方、本体部４は、箱体１０、帯金５およびスライド調節部１４によって構成される。またスライド調節部１４はさらに調節ネジ１６とスライダー１１によって構成されている。以下順次説明する。
【００２６】
箱体１０は、大小二つの箱３５，３６が結合したものであり、その全長は前記した鴨居側部材３１と等しい。幅は後記する移動調接ケース７０より短い。上記した二つの箱３５，３６の内、大きい方の箱３５は、帯金配置箱であり、上面１０ａと一方の側面１０ｂが開放された直方体をしている。帯金配置箱３５の開放側の側面１０ｂの近傍は、他の部位に比べて内幅が広くスライド調節部１４となっている。帯金配置箱３５の閉鎖側の側面１０ｃの近傍には、底板に突起１０ｄが設けられている。一方、小さい箱３６は、調整用ネジ配置箱であり、前記した帯金配置箱３５の底面側に設けられている。調整用ネジ配置箱３６は帯金配置箱３５の開放側の端部にあり、二つの箱３５，３６の側面は同一平面内にある。
【００２７】
帯金配置箱３５と調整用ネジ配置箱３６は、図４の様に連通している。調整用ネジ配置箱３６の両端部には図４の様に支持孔１８ａ、１８ｂが設けられている。そして当該支持孔１８ａ、１８ｂには調節ネジ１６が挿通されている。調節ネジ１６は、図示しない係合部によって軸方向に移動しないように調整用ネジ配置箱３６に取り付けられている。したがって調節ネジ１６は、その場で回転し、自身は軸方向に移動しない。またネジの工具との係合部３７は、図１，２，４の様に調整用ネジ配置箱３６の端面に露出している。
【００２８】
帯金５は薄板で帯状をなす弾力性を有する鋼であり、一枚の鋼板を折り曲げて作られたものである。帯金５の形状は、図１、３の通りであり、ヘアピン状に中央から折り返されていてそれぞれの内面によって摺動路３８が形成されている。すなわち帯金５は、鋼板が中央部から折り返されて一対の鋼板５ａ，５ｂが対向している。そして一対の鋼板５ａ，５ｂは、一端側が開放されており、他端側は閉塞している。鋼板５ａ，５ｂの間には隙間があり、この隙間が摺動路３８として機能する。図１，図２を参照しつつ説明すると、図面左端は閉じており、右部分は開放し、右端の開放側から左端の閉塞部に至る一連の通路が形成されている。
【００２９】
前記した摺動路３８の形状は、図６の様に大きく４つの部分に分割される。すなわち。帯金５によって形成される摺動路３８は機能上、嵌合口部６、弾力調節部７、ガイド部（テーパ部）８、嵌合部９の４つの部分に分かれている。ここで嵌合口部６は、対向する二枚の鋼板５ａ，５ｂが略平行に位置する。嵌合口部６における帯金５の開きの間隔は前記突起部３の幅より大である。
【００３０】
弾力調節部７では、対向する二枚の鋼板５ａ，５ｂに約３０°程度のテーパが設けられている。また帯金５は弾力調節部７において後述するスライダー１１のスリット１２を通過している。
【００３１】
ガイド部（テーパ部）８は、前記した弾力調節部７よりも角度の小さいテーパが形成された部位である。そして本実施形態では、ガイド部８の末端までの間において、開き間隔が前記突起部３の幅より小となるように僅かずつ狭められている。ガイド部（テーパ部）８の全長は、前記した嵌合口部６、弾力調節部７、ガイド部（テーパ部）８、嵌合部９の４部分の中で最も長く、４０ｍｍ〜８０ｍｍ程度である。
【００３２】
嵌合部９は、ガイド部８の末端にあり、二枚の鋼板５ａ，５ｂの幅が急激に広げられた部位である。嵌合部９において、開きの間隔が前記突起部３の幅より大である様に広げられ、嵌合部９の左端において閉じられている。嵌合部９の内方の長さは前記突起部３の長さより長くなっており、従って嵌合部９の内部に前記突起部３が嵌合して納められる寸法に設計されている。スライド調節部１４を構成するスライダー１１は、図３の様に略「コ」の字状をした摺動部１１ａと、当該摺動部１１ａの背面に設けられた支持板１３によって構成されている。すなわち摺動部１１ａは、二つの側面と底面を持ち、他の面は解放されている。そして二つの側面にはスリット１２が設けられている。一方、支持板１３は摺動部１１ａの底板に対して垂直に立設された壁体であり、中央にネジ孔１５が設けられている。
【００３３】
前記した帯金５は、嵌合部９が開口端面に対して奥側となる様に帯金配置箱３５に配置されている。また帯金５の折り返し部分が帯金配置箱３５の奥側の内壁と突起１０ｄとの間に挟まれており、帯金５は帯金配置箱３５から脱落することはない。特に帯金５の折り返し部分と突起１０ｄとが係合するため、帯金５の長手方向の移動は阻止される。帯金５が帯金配置箱３５に配置された状態の時、帯金配置箱３５の開放側の側面１０ｂから嵌合部９までの距離は、前記した鴨居側部材３１の端部から突起部３までの距離と等しい。
【００３４】
スライダー１１は、略「コ」状の開放側を上に開いた「コ」状態で、摺動部１１ａが帯金配置箱３５のスライド調節部１４に配されている。そしてスライダー１１の支持板１３は箱体１０の下外側に設けた調整用ネジ配置箱３６の内部に突き出ている。すなわち調整用ネジ配置箱３６の内部は直方体の小室となっており、当該小室内に支持板１３が配置される。
【００３５】
そして前記した様に調整用ネジ配置箱３６の両端部には支持孔１８ａ、１８ｂが設けられ、内部に調節ネジ１６があり、調節ネジ１６はこの支持孔１８ａ、１８ｂに支持され、円周方向に回転可能になっている。調節ネジ１６はスライダー１１の支持板１３のネジ孔１５を貫通することにより、支持板１３を保持している。調節ネジ１６の中央部の外周にはネジ部１７が設けられており、該ネジ部１７は前記の支持板１３のネジ孔１５とネジ係合している。前記した様に、調節ネジ１６は軸方向には移動しないから、端部に露出した工具との係合部３７を回転させると、ネジ部１７と係合する支持板１３が軸方向に移動する。従って調節ネジ１６を回動させることにより、スライダー１１の摺動部１１ａが帯金配置箱３５で軸方向に直線移動する。
【００３６】
前記した様に、スライダー１１の両側面にはスリット１２が設けられ、帯金５の弾力調節部７がこのスリット１２を通過し嵌合口部６は、スライダー１１の外側から帯金配置箱３５の開放端側に延びている状態で組み立てられている。
【００３７】
以上説明した鴨居側部材３１は、図１の様に引き戸２の上角部に取り付けられる。また鴨居側部材３１の取付けに際しては、鴨居側部材３１の端面が引き戸２の端面と同一平面となる様に配慮されている。
【００３８】
以上の様な構造の引き戸２が閉止される時の状況を図５によって説明する。引き戸２が閉じられる時、本体部４は引き戸２と一体となって図５の右方向に移動し、本体部４が鴨居１側の突起部３に近づく。ここで本体部４の帯金配置箱３５は、上面１０ａと側面１０ｂが開放されているので、上部の鴨居１から垂下された突起部３は、本体部４の中に入り得る。そして引き戸２の移動により、最初に帯金５の嵌合口部６が突起部３に架かる（図５ａ参照）。
【００３９】
さらに右方向への移動が続き、弾力調節部７を経てガイド部８が突起部３に架かる（図５ｂ参照）。ガイド部８においては、帯金５が弾力性を有しているので、ガイド部８は突起部３に押し拡げられ、ガイド部８が突起部３を挟んだ状態で本体部４と引き戸２との一体の移動が続く。この時、ガイド部８の摺動路３８は、帯金５自身の弾力性によって狭窄方向に付勢されているので、ガイド部８と突起部３の間に弾性圧力に因る摩擦力が生じ、引き戸２は強制的に減速されながらさらに図面右方向への移動が続く。またガイド部８は、テーパ状であって、奥へ行くほど摺動路３８の幅が狭まり、引き戸２が鴨居１の終端に近づくに従ってより強いブレーキ力が働く。
【００４０】
そして引き戸２がちょうど閉じた状態の時、嵌合部９が突起部３に架かり、最終的に突起部３が嵌合部９の内部に嵌合された状態になり、引き戸２の移動が停止される（図５ｃ参照）。
【００４１】
また嵌合部９とガイド部８との接続部分は、幅が狭いので、一旦嵌合部９に嵌まりこんだ突起部３は、嵌合部９から脱出しにくい。すなわち引き戸２の移動と共に突起部３が嵌合部９に達すると、突起部３はガイド部８には移動しにくい。従って引き戸２が勢いよく戸枠側に当たっても、突起部３が嵌合部９と嵌合しているので、引き戸は反発せず、閉じたままの状態を維持する。このように引き戸２の端面と柱・壁との衝撃の緩和程度が十分に安全な程度で、かつ、引き戸２の開閉が円滑であれば、そのままで当面は使用出来る。一方、引き戸２を閉じる時の引き戸２の端面と柱・壁との衝撃の緩和の程度が十分に安全な程度でないか、または引き戸２の開閉が円滑でない場合は以下の様な調節をおこなう。まず、スライド調節部１４の調節ネジ１６をネジ回しなどを用いて回転させる。ここで本実施形態の引き戸用反発防止装置３０では、調節ネジ１６のネジ回し等との係合部３７が、引き戸２の端面に露出しているから、調節ネジ１６の回動は容易である。すなわち引き戸２を取り外すことなく調節ネジ１６を回転させることができる。
【００４２】
調節ネジ１６が回転すると調節ネジ１６のネジ部１７とネジ結合された支持板１３が水平方向に移動し、支持板１３と一体となってスライダー１１が水平方向に直線移動する。スライダー１１が軸方向に移動するとスライダー１１の摺動部１１ａに設けられたスリット１２と帯金５との接触位置が変化する。
【００４３】
一方、帯金５のスリット１２と接触する部位たる弾力調節部７にはテーパが設けられているから、スライダー１１の移動に応じて帯金５の開放側が絞られ、あるいは緩められる。そのため調節ネジ１６を回動してスライダー１１を移動させることにより、帯金５の間隔が変化する。例えば図４（ａ）の状態から調節ネジ１６が回転してスライダー１１を開口側（図面右側）に移動させると、図４（ｂ）に示す様に帯金５のガイド部８の開き間隔は狭められ、引き戸２を閉じる時の突起部３がガイド部８に挟まれる圧力に因る摩擦力が増加するので、引き戸２の端面と柱・壁との衝撃は弱められる。
【００４４】
逆にスライダー１１が左に移動すると前記帯金５のガイド部８の開き間隔は拡げられ、引き戸２を閉じる時の突起部３が前記帯金５のガイド部８に挟まれる圧力に因る摩擦力が減少するので、引き戸２の開閉時は調節前より円滑になるが、閉止時の引き戸の端面と柱・壁との衝撃は調節前より強くなる。従って本発明の引き戸２の最初の使用前に、鴨居１に取り付けた後、引き戸２の開閉と前記の様な調節ネジ１６の回転による調節を繰り返すことにより、引き戸２が閉じられる時の引き戸２の端面と柱・壁との衝撃の程度と引き戸２の開閉時の円滑さとを適切に調節するのが望ましい。以上説明した実施形態では、摺動路３８を弾性を有する帯金で製作したが、例えば摺動路３８を摺動性に優れた樹脂で製作し、当該樹脂をバネやゴム等の弾性体で狭窄方向に付勢してもよい。
【００４５】
また上記した実施形態では、引き戸用反発防止装置を引き戸２の上部に取付けたが、これを下部、すなわち敷居側に取り付けてもよい。
【００４６】
（実施の形態２）
以下、本発明の第２の実施形態について説明する。図７は、本発明の実施の形態２の反発防止装置を上部側から見た斜視図である。図８は、本発明の上記の引き戸用反発防止装置（移動調節部を含まず）を下部側から見た斜視図である。図９は、図７の引き戸用反発防止装置の帯金及びスライダーの斜視図である。図１０は、図７のＡ−Ａ断面図（ａ）およびＢ−Ｂ断面図（ｂ）である。図１１は上記の引き戸用反発防止装置のスライダーを移動した時の動作を説明する図７のＣ−Ｃ断面図である。
【００４７】
以下において前記した実施の形態１と共通する部材に対しては同じ番号を付して説明する。図７から１１において、１は鴨居（軌道）、２は引き戸を示す。また５０は本発明の実施形態の引き戸用反発防止装置を示す。本実施形態の引き戸用反発防止装置５０は、大別して鴨居側部材３１と本体部４によって構成されている。
【００４８】
鴨居側部材３１の構造と鴨居（軌道）１への取り付け方は実施の形態１と同様である一方、本体部４の主構成は、図７および図８の様に箱体１０、帯金５、スライド調節部１４を有する点で前記した実施の形態１と同様であるが、本実施の形態ではさらに、移動用接合部４８が追加されている。以下順次説明する。
【００４９】
箱体１０は図８、１０に示すように帯金配置箱３５を有し、その本体部分は前記した実施の形態１と共通するが、調節ネジ箱に代わって箱体１０と一体的に成型されたネジ台座４５が、箱体１０の引き戸端側の底面部に設けられている。ネジ台座４５の底面には、溝４６ａ、４６ｂが設けられている。溝４６ａはネジ台座４５の長さ方向の中心線上をネジ台座４５の両端まで貫き、溝４６ｂは引き戸端側の端部の近くにあり、溝４６ａと直交している。調節ネジ１６は溝４６ａに回転可能に収容されている。調節ネジ１６のネジ部とネジ頭１６ａの間にはＣリング４７が取り付けてあり、Ｃリング４７が溝４６ｂに強制的に嵌め込まれて取り付けられている。これにより、調節ネジ１６はＣリング４７を介して溝４６ｂに支持され、溝４６ａ内で回転可能であるが、Ｃリング４７に束縛されて軸方向への移動を阻止されている。
【００５０】
帯金５も実施の形態１とほぼ同様であり、弾力性を有する帯状の鋼の薄板をヘアピン状に折り曲げて作られ、ヘアピンの内面が摺動路３８を形成している。
【００５１】
摺動路３８は、実施の形態１と同様に機能する図１１の様な４つの部分に分割される。すなわち、嵌合口部６、弾力調節部７、ガイド部（テーパ部）８、嵌合部９の４部分である。ただし弾力調節部７の構成は実施の形態１と異なり、帯金５は図１１の様にガイド部８側の端部が外方向へＬ字型に折れた当接部７ａとなり、当接部７ａに後述するスライダー１１の端部１１ｂが当接して帯金の弾力調節が行われる。帯金５は当接部７ａからＬ字型に折れ、スライダー１１の端部１１ｂの外側へ出た地点で弾力調節部７が終わり、嵌合口部６に至っている。従って本実施の形態２では弾力調節部７は上記の当接部７ａを含む極く狭い範囲となっている。スライド調節部１４を構成するスライダー１１も外観形状は実施の形態１と類似しており、図９の様に略「コ」の字状をした摺動部１１ａと、摺動部１１ａの底面のガイド部８側の端部の下方向に設けたられた支持板１３によって構成されている。すなわち、摺動部１１ａは底面と二つの側面とを持ち、他の面は解放されている。支持板１３は摺動部１１ａの底板に対して垂直に立設された壁体であり、中央にネジ孔１５が設けられている。ただし本実施の形態では摺動部１１ａはスリットがない単純な板である。
【００５２】
スライダー１１は、略「コ」状の開放側を上に開いた「コ」状態で、摺動部１１ａが箱体１０内にある帯金５の弾力調節部７に配されている。そしてスライダー１１の支持板１３は下方向に突き出て、箱体１０の下外側に設けたネジ台座４５の引き戸端と反対側の端面に当接し、ネジ孔１５と調節ネジ１６が係合することにより調節ネジ１６に支持されている。
【００５３】
そして前記した様に調節ネジ１６はネジ台座４５の溝４６ａに収納され、Ｃリング４７を介して溝４６ｂに支持され、軸方向への移動を阻止された状態で回転可能である。従って調節ネジ１６を回転させると、ネジ部１７と係合するスライダー１１の支持板１３が軸方向に移動し、摺動部１１ａが箱体１０内で軸方向に直線移動する。
【００５４】
本実施の形態のスライダー１１による帯金５の弾力調節方法を図１１によって説明する。先ず、スライド調節部１４の調節ネジ１６をネジ回しなどを用いて回転させ、調節ネジ１６が回転すると調節ネジ１６のネジ部１７とネジ結合された支持板１３が軸方向に移動し、支持板１３と一体となってスライダー１１が軸方向に直線移動する。スライダー１１が軸方向に移動すると、スライダー１１の摺動部１１ａの端部１１ｂに当接している帯金５の弾力調節部７の当接部７ａに押圧応力が加わり、帯金５のガイド部８は内側に撓められる。そのため調節ネジ１６を回動してスライダー１１を移動させることにより、帯金５の間隔が変化する。例えば図１１（ａ）の状態から調節ネジ１６が回転してスライダー１１を開口側（図面右側）に移動させると、図１１（ｂ）に示す様に帯金５のガイド部８の開き間隔は狭められ、引き戸２を閉じる時の突起部３とガイド部８の間の摩擦力が増加するので、引き戸２の端面と柱・壁との衝撃は弱められる。図１１（ｂ）の状態から調節ネジ１６が回転してスライダー１１を開口の反対側側（図面左側）に移動させると、図１１（ａ）に示す様に帯金５のガイド部８の開き間隔は拡げられ、引き戸２を閉じる時の突起部３とガイド部８の間の摩擦力が減少するので、引き戸２の端面と柱・壁との衝撃は強められる。
【００５５】
次に本実施の形態に新たに追加された摺動路３８を移動させる部位を説明する。図１２は図７のＤ−Ｄ断面図（ａ）およびＥ−Ｅ断面図（ｂ）である。図１３は上記の引き戸用反発防止装置の本体ケースが移動調節ケースに収納された状態の正断面図（ａ）およびそのＡ−Ａ断面図（ｂ）〜（ｄ）であり、（ｂ）は移動調節スライダーにより本体ケースが一方の端にスライドした時の状態を示し、（ｃ）は本体ケースが中央にある時の状態を示し、（ｄ）は本体ケースが他方の端へスライドした時の状態を示す。図１４は図７の移動調節部６０の要部を示す分解斜視図である。以下順次説明する。
【００５６】
移動調節部６０は移動調節スライダー６１と、移動調節ネジ６２およびそれらを収容する移動調節ケース７０が主構成である。これとは別に、本体部４に後記する移動用接合部４８が箱体１０と一体的に成型されて設けられている。
【００５７】
移動調節ケース７０は上側が開放された矩形の箱で、その外径寸法は、長さが本体部４の箱体１０と等しく、幅は引き戸の上角部に埋め込まれるために引き戸の幅より短くなっている。さらに、移動調節ケース７０の引き戸の端側は下部の中央に円形の孔６３と、上端の中央に略長方形の開放口６４が設けられている。移動調節ケース７０の内部の底は引き戸の端側の一部が厚くなって移動調節ネジ台座６５になっており、残りの部分は平坦である。移動調節ネジ台座６５の表面には溝６７ａ、６７ｂが設けられている。溝６７ａは移動調節ネジ台座６５の表面の長さ方向の中央線上をネジ台座６５の両端まで貫いており、溝６７ｂは引き戸の端部の近くにあり、溝６７ａと直交している。溝６７ａの引き戸の端側は前記の孔６３に開孔している。
【００５８】
溝６７ａには移動調節ネジ６２が収容されて、ネジ頭６２ａは孔６３へ露出している。移動調節ネジ６２のネジ部６２ｂとネジ頭６２ａの間にＣリング６６が取り付けられており、Ｃリング６６は溝６７ｂに強制的に嵌め込まれて固定されていることにより、移動調節ネジ６２はＣリング６６を介して溝６７ｂに支持されている。これにより移動調節ネジ６２は軸方向への移動を阻止され、工具を当ててネジ頭６２ａを回転させることにより、その場に留まる状態で回転可能である。
【００５９】
移動調節スライダー６１の主要部は金属製の長方形の平板７１であり、その長さ方向の中心線上に２個のスリット７５ａ、７５ｂが設けられている。スリット７５ａ、７５ｂは略長方形で長さ方向は移動調節スライダー６１の長さ方向に対して約３０度の傾きを持って設けられている。
【００６０】
移動調節スライダー６１の図面右側の端部は平板７１に対して垂直に延びる仕切板７２となっており、仕切板７２の下部の中央にはネジ孔７３が設けられ、ネジ孔７３に上記の移動調節ネジ６２のネジ部６２ｂが貫通して係合されている。これにより、移動調節スライダー６１は移動調節ネジ６２に支持され、移動調節ネジ６２の回転に従って移動調節ケース７０の内底を長さ方向に直線移動される構成となっている。
【００６１】
移動用接合部４８は図７の様に箱体１０の下側のネジ台座４５の反対側に設けられた略直方体であり、移動用接合部４８の幅は箱体１０と同一であるかまたはやや短い。全長は箱体１０より短く、高さはネジ台座４５側の一部が少し低くなっている。さらに移動用接合部４８の下底部には長さ方向の中央線上に２個の円柱状の突起４９ａ、４９ｂが設けられている。
【００６２】
本体部４と移動調節部６０は、図１３（ａ）の様に重ね合わされ、移動用接合部４８が移動調節ケース７０に納められることによって一体化される。この時、移動用接合部４８は、移動用スライダー６１の仕切板７１と移動調節ケース７０左端の間の空間に、長さ方向へ動ける隙間がない状態で納められる。同時に移動用接合部４８の下底の突起４９ａ、４９ｂがそれぞれスリット７５ａ、７５ｂに嵌め込まれ互いに係合する。そして移動調節ケース７０の両側壁に設けた接合孔７６ａ、７６ｂと移動用接合部４８の両側壁に設けた接合孔５１ａ、５１ｂが重なり合った孔状部にピン５２ａ、５２ｂを通してネジ止めして本体部４と移動調節部６０との結合を堅固にし、かつ本体部４の長さ方向および高さ方向への移動を阻止する。
【００６３】
本体部４と移動調節部６０は前記の様に一体化された状態で引き戸２の上角部に埋め込み式に取り付けられる。この時、本体部４のネジ台座４５の右端の一部は移動調節ケース７０の右端の開放口６４へ露出している。従って本体部４と移動調節部６０が一体化されて引き戸２に取り付けられた状態では、調節ネジ１６のネジ頭１６ａと移動調節ネジ６２のネジ頭６２ａは、引き戸２の上角部の端から露出しており、両者とも外から工具を当てて回すことが可能である。
【００６４】
次に図１３を参照して移動調節部６０の作用を説明する。当初の製作誤差および、使用継続による変形により軌道と引き戸の間の幅方向のずれが大きすぎるため、前記の摺動路のガイド部８の開き幅を調整するのみでは対応出来ず、引き戸２の閉閉具合が満足でない場合に、以下の調整を行う。
【００６５】
本体部４と移動調節部６０が引き戸２に取り付けられた時の状態の正断面図は上記の図１３（ａ）の様であり、平断面図は図１３（ｃ）の様である。
【００６６】
本実施形態の引き戸用反発防止装置５０では、ネジ頭６２ａに工具を当てて移動調節ネジ６２を回転させると、ネジ部６２ｂに係合された移動調節スライダー６１が引き戸の上端において長さ方向へ直線移動する。ここで本実施形態の引き戸用反発防止装置５０では、移動調節ネジ６２のネジ頭６２ａ（係合部）についても引き戸２の端面に露出しているから、移動調節ネジ６２の回動も容易である。すなわち引き戸２を取り外すことなく移動調節ネジ６２を回転させることができる。
【００６７】
具体的に説明すると、本実施形態の引き戸用反発防止装置５０では、移動調節ネジ６２を正（右）回転させると移動調節スライダー６１は引かれて図の右方向に移動する。この時、本体部４の移動用接合部４８の下底部の突起４９ａ、４９ｂは移動調節スライダー６１のスリット７５ａ、７５ｂにそれぞれ係合されているので、移動用接合部４８を図の斜め手前へ移動させる力が働くが、移動用接合部４８は長さ方向への移動を阻止されているので、本体部４の全体が手前の幅方向にスライドする。（図１３（ｂ）参照））
【００６８】
移動調節ネジ６２を反対（左）回転させると移動調節スライダー６１は押されて図の左方向に移動する。この時、突起４９ａ、４９ｂはスリット７５ａ、７５ｂにそれぞれ係合されているので、移動用接合部４８を図の斜め奥へ移動させる力が働くが、移動用接合部４８は長さ方向への移動を阻止されているので、本体部４の全体が奥の幅方向にスライドする。（図１３（ｄ）参照））
【００６９】
以上の様に、箱体１０内に収容された摺動路３８が移動調節部６０により幅方向へ移動されることにより、鴨居１の突起３と摺動路３８の幅方向のずれが修正され、引き戸２を閉じる時の引き２戸が柱・壁に当たる衝撃の程度、および引き戸の開閉の円滑さが適正に調整される。なお上記した実施形態の説明では、調節ネジ１６，移動調節ネジ６２は、いずれもＣリング４７，６６を使用して軸方向の移動を阻止する構造を採用したが、Ｃリング４７，６６によらずに、つば付きネジを使用してもよい。
【００７０】
【発明の効果】
本発明の引き戸用反発防止装置では引き戸を閉じる際に適度のブレーキをかけることができる効果があり、本発明の引き戸用反発防止装置を引き戸に装着すると、引き戸を適正な速度に減速し、引き戸が反発するといった不具合が生じない。
【００７１】
また前記のブレーキの強度を調整する機構が設けられているので、引き戸の開閉の円滑の程度を適切に保つことができる。
【００７２】
さらに加えて、本発明の引き戸用反発防止装置は、引き戸側の部分が軌道の幅方向へ移動出来る機構を備えているので、当初の製作誤差および、使用継続による変形により軌道と引き戸の間の幅方向のずれが過大であり、引き戸用反発防止装置の引き戸側部分と敷居側部分との位置関係が適当でないためブレーキの強度の調整作用が無効または不十分である場合にも、引き戸用反発防止装置の引き戸側部分と敷居側部分との位置関係を調整することにより、引き戸を閉じる時の引き戸が柱・壁に当たる衝撃の程度、および引き戸の開閉の円滑の程度を適切に保つことが出来る。
【図面の簡単な説明】
【図１】  本発明の引き戸用反発防止装置を上部側から見た斜視図である。
【図２】  本発明の引き戸用反発防止装置を下部側から見た斜視図である。
【図３】  図１の引き戸用反発防止装置の帯金及びスライダーの斜視図である。
【図４】  図１のＡ−Ａ断面図及びＢ−Ｂ断面図である。
【図５】  本発明の引き戸用反発防止装置を軌道及び引き戸に設置した状態における図１のＣ−Ｃ断面図であり、（ａ）は引き戸の閉止の初期の状況を示し、（ｂ）は引き戸の閉止の中間段階の状況を示し、（ｃ）は引き戸の閉止完了時を示す。
【図６】  スライダーを移動した時の動作を説明する図１のＣ−Ｃ断面図である。
【図７】  本発明の実施の形態２の反発防止装置を上部側から見た斜視図である。
【図８】  図１の戸用反発防止装置（移動調節部を含まず）を下部側から見た斜視図である。
【図９】  図７の引き戸用反発防止装置の帯金及びスライダーの斜視図である。
【図１０】  図７のＡ−Ａ断面図（ａ）およびＢ−Ｂ断面図（ｂ）である。
【図１１】  上記の引き戸用反発防止装置のスライダーを移動した時の動作を説明する図７のＣ−Ｃ断面図である。
【図１２】  本発明の実施の形態３の図７のＤ−Ｄ断面図（ａ）およびＥ−Ｅ断面図（ｂ）である。
【図１３】  上記の引き戸用反発防止装置の本体ケースが移動調節ケースに収納されたた状態の正断面図（ａ）およびそのＡ−Ａ断面図（ｂ）〜（ｄ）であり、（ｂ）は移動調節スライダーにより本体ケースが一方の端にスライドした時の状態を示し、（ｃ）は中央にある時の状態を示し、（ｄ）は他方の端へスライドした時の状態を示す。
【図１４】  本発明の実施の形態２の反発防止装置の移動調節部６０の要部を示す図７の分解斜視図である
【符号の説明】
１  鴨居
２  引き戸
３  突起部
４  本体部
５  帯金
６  嵌合口部
７  弾力調節部
８  ガイド部
９  嵌合部
１０  箱体
１１  スライダー
１２  スリット
１３  支持板
１４  スライド調節部
１５  ネジ孔
１６  調節ネジ
１７  ネジ部
１８ａ、１８ｂ  支持孔
３８  摺動路
４５  ネジ台座
４６ａ、４６ｂ  溝
４７  Ｃリング
４８  移動用接合部
４９ａ、４９ｂ  突起
６０  移動調節部
６１  移動調節スライダー
６２  移動調節ネジ
６３  孔
６４  開口
６５  移動調節ネジ台座
６６  Ｃリング
６７ａ、６７ｂ  溝
７０  移動調節ケース
７１  平板
７２  仕切板
７３  ネジ孔
７４ａ、７４ｂ  スリット
７５  接合孔
【図１】
0004746176.tif 000002
【図２】
0004746176.tif 000003
【図３】
0004746176.tif 000004
【図４】
0004746176.tif 000005
【図５】
0004746176.tif 000006
【図６】
0004746176.tif 000007
【図７】
0004746176.tif 000008
【図８】
0004746176.tif 000009
【図９】
0004746176.tif 000010
【図１０】
0004746176.tif 000011
【図１１】
0004746176.tif 000012
【図１２】
0004746176.tif 000013
【図１３】
0004746176.tif 000014
【図１４】
0004746176.tif 000015